(57)【特許請求の範囲】
【請求項１】
バーナと、  最大出力電力がそれぞれ大及び小の関係になっている大電力源及び小電力源と、  異常状態を検出する異常状態検出部と、  前記大電力源からの供給電力により作動して前記バーナに接続されたガス供給路を開閉する開閉弁と、  該開閉弁を駆動する駆動回路と、  各々の作動電力が前記小電力源の最大出力電力以下である複数の異常報知手段と、  前記異常状態検出部が前記異常状態を検出したときは、前記駆動回路による前記開閉弁の開弁駆動を停止し、前記駆動回路による開弁駆動の停止により、前記開閉弁が閉止状態に至るまでの所要時間を想定して設定された開閉弁閉止時間が経過した後に、前記駆動回路による前記大電力源の作動を停止させ、その後、前記複数の異常報知手段の内、少なくとも２つ以上を選択して、該選択した異常報知手段のいずれか１つずつを前記小電力源により作動させて、該異常報知手段による報知を実施する異常報知制御部と、を備えることを特徴とするガス燃焼装置。
【請求項２】
請求項１記載のガス燃焼装置において、
前記大電力源は、前記ガス燃焼装置が停止状態にあるときに作動停止となるとともに、前記小電力源により停止状態から作動状態へ切り替えられるものであることを特徴とするガス燃焼装置。
【発明の詳細な説明】
【技術分野】
【０００１】
本発明は、ファンヒータ等のガス燃焼装置に係り、詳しくはガス供給路を開閉する開閉弁についての異常報知機能を装備するガス燃焼装置に関する。
【背景技術】
【０００２】
温風暖房機（ファンヒータ）では、元電磁弁及び先電磁弁がバーナのガス供給路に配設され、どちらか一方の電磁弁の作動に異常が起きても、他方の電磁弁によりガス供給路を閉じることができるようになっている。万一、元電磁弁と先電磁弁との双方又は一方が異常状態になった時は、ブザー等により異常を報知する必要がある。
【０００３】
特許文献１は、燃焼装置のガス供給路の電磁弁に異常が生じた時は、リモコンにおける発光色の異なる２つのフォトカプラを同期点滅させて、異常状態を知らせることを開示する（特許文献１の段落００３６及び００５５）。
【０００４】
特許文献２は、給湯機に不着火及び途中失火等の異常が発生じた場合、発生直後に、エラーコードの視覚表示と具体的な異常状態について説明する音声報知とを実施するとともに（特許文献２の段落００１６及び図２〜図４のＳ１，Ｓ２）、その後、使用者が運転指示スイッチを操作した時に、音声報知のみを再度、実施することを開示する（特許文献２の段落００１６及び図２〜図４のＳ６）。
【先行技術文献】
【特許文献】
【０００５】
【特許文献１】特開平８−２２６６３９号公報
【特許文献２】特開２０００−２８３５５５号公報
【発明の概要】
【発明が解決しようとする課題】
【０００６】
上述したように、電磁弁の異常が検出されたときには、異常報知を行う必要があり、その際には複数の報知手段（音声と表示等）を組み合わせて行うことが有効である。しかしながら、複数の報知手段を同時に作動させると、作動電力が増大し、異常報知中の消費電力が大きくなるという不都合がある。
【０００７】
本発明の目的は、ガス供給路を開閉する開閉弁に異常が生じた時に複数の報知手段による異常報知を、消費電力を抑えて行うことができるガス燃焼装置を提供することである。
【課題を解決するための手段】
【０００８】
第１発明のガス燃焼装置は、バーナと、最大出力電力がそれぞれ大及び小の関係になっている大電力源及び小電力源と、異常状態を検出する異常状態検出部と、前記大電力源からの供給電力により作動して前記バーナに接続されたガス供給路を開閉する開閉弁と、該開閉弁を駆動する駆動回路と、各々の作動電力が前記小電力源の最大出力電力以下である複数の異常報知手段と、前記異常状態検出部が前記異常状態を検出したときは、前記駆動回路による前記開閉弁の開弁駆動を停止し、前記駆動回路による開弁駆動の停止により、前記開閉弁が閉止状態に至るまでの所要時間を想定して設定された開閉弁閉止時間が経過した後に、前記駆動回路による前記大電力源の作動停止を停止させ、その後、前記複数の異常報知手段の内、少なくとも２つ以上を選択して、該選択した異常報知手段のいずれか１つずつを前記小電力源により作動させて、該異常報知手段による報知を実施する異常報知制御部と、を備えることを特徴とする。
【０００９】
第１発明によれば、異常検出時には、複数の異常報知手段から２つ以上を選択し、該選択した異常報知手段について、同時に作動する異常報知手段は１つに制限しつつ、順次に作動させて、選択した２以上の異常報知手段からの異常報知を行うことにより、多様な報知で認知性を高めることができるとともに、異常報知期間の各時点の消費電力を抑えることができる。
【００１１】
第１発明によれば、大電力源の作動停止は、異常状態検出後、直ちにではなく、大電力源の電力を使って該大電力源の負荷としての開閉弁を閉止してからとするので、小電力源は、開閉弁を閉止するのに要する消費電力の負担を免れて、最大出力電力を低下させることができる。
【００１２】
第２発明のガス燃焼装置は、第１発明において、前記大電力源は、前記ガス燃焼装置が停止状態にあるときに作動停止となるとともに、前記小電力源により停止状態から作動状態へ切り替えられるものである。
【００１３】
第２発明によれば、異常報知の電力源としての小電力源は、大電力源が作動停止してガス燃焼装置が停止状態となっている期間のわずかの作動電力を賄う電力源を利用するので、ガス燃焼装置の正常停止期間の作動電力源として用意しているものをそのまま使用して、すなわち、最大出力電圧を増大することなく使用して、消費電力を低減することができる。
【図面の簡単な説明】
【００１４】
【図１】温風暖房機の構成図。
【図２】図１の制御ユニットの主要部とその制御対象とのブロック図。
【図３】電源と元電磁弁、先電磁弁及びマイコンとの関係を示す回路図。
【図４】元電磁弁及び先電磁弁の第１異常処理のフローチャート。
【図５】元電磁弁及び先電磁弁の第２異常処理のフローチャート。
【発明を実施するための形態】
【００１５】
図１において、温風暖房機１０は、バーナ１１と、燃焼ファン１２と、燃焼ファン１２の作動によりハウジング２０の背面の吸気口１３から室内空気が燃焼用空気として取り込まれる第１ダクト１４と、同じく燃焼ファン１２の作動によりハウジング２０の背面の吸気口１５から室内空気が取り込まれ、バーナ１１の燃焼排気と混合されてハウジング２０の正面下部の送風口１６から温風として外部に送風される第２ダクト１７と、ハウジング２０の上面に配設されている操作パネル１８と、バーナ１１の燃焼等を制御する制御ユニット１９とを備えている。
【００１６】
バーナ１１は、第２ダクト１７内に配設された燃焼胴２５内に配設される。点火電極２７及び熱電対２８は第２ダクト１７内に配設され、点火電極２７は、火花放電して、バーナ１１のガスの着火を行い、熱電対２８はバーナ１１の燃焼炎の有無を検出する。ガス供給路２６は、ハウジング２０の外に存在する上流端においてガスホース（図示せず）に接続され、ハウジング２０内を延び、途中で第１ダクト１４に合流し、バーナ１１へ達している。
【００１７】
元電磁弁３０、先電磁弁３１及び比例弁３２は、上流側からその順番にガス供給路２６に配設される。元電磁弁３０及び先電磁弁３１は、制御ユニット１９により通電を制御され、通電中は開弁し、非通電中は閉弁する。比例弁３２は、制御ユニット１９からの駆動電流に応じた開度でガス供給路２６を開く。
【００１８】
燃焼ファン１２は回転羽根３５及びモータ３６を備える。回転羽根３５は、第２ダクト１７内において燃焼胴２５より下流側に配設され、モータ３６により回転され、送風口１６からの温風の流量を制御する。回転速度センサ３７は、ホールＩＣ等により構成されて、モータ３６の出力軸の回転速度を検出する。
【００１９】
フィルタ４０は、吸気口１３，１５を覆うように、ハウジング２０の背面に着脱自在に装着され、吸気口１３，１５への塵芥等の異物の侵入を防止する。室温センサ４１は、第２ダクト１７内において吸気口１５付近に配設され、吸気口１５からの吸入空気の温度を検出する。可動式ルーバ４４は、送風口１６に配設され、送風口１６からの温風の吹出しの向きを変更する。
【００２０】
運転ボタン４８、設定ボタン４９、スピーカ５０及び表示パネル５１は操作パネル１８に配備されている。運転ボタン４８は、使用者が温風暖房機１０の温風暖房運転のＯＮ／ＯＦＦを切り替える際に、使用者により押下される。設定ボタン４９は、使用者が暖房温度の設定温度を上昇側及び下降側へ所定温度（例：１°Ｃ）ずつ変更する際に押下される。スピーカ５０からは、音声案内や電子ブザー音が出力される。表示パネル５１は液晶から構成され、表示パネル５１には設定温度や現在時刻等の種々の情報が表示される。
【００２１】
図２において、制御ユニット１９は、主要要素として、マイコン６１、メイントランス・電磁弁駆動部６２、元電磁弁駆動部６３、先電磁弁駆動部６４、元電磁弁アンサー部６５及び先電磁弁アンサー部６６を備えている。マイコン６１は、後述の図４又は図５の処理に関連して、メイントランス・電磁弁駆動部６２、元電磁弁駆動部６３及び先電磁弁駆動部６４へ通電指示及び非通電指示を出力する。メイントランス・電磁弁駆動部６２、元電磁弁駆動部６３及び先電磁弁駆動部６４は、マイコン６１から通電指示を受けると、それぞれメイントランス・電磁弁用リレー７０のソレノイド７０ａ、元電磁弁用リレー７１のソレノイド７１ａ及び先電磁弁用リレー７２のソレノイド７２ａへ所定の電流を供給して、それらを非通電状態から通電状態へ切り替え、また、マイコン６１から非通電指示を受けると、それぞれメイントランス・電磁弁用リレー７０のソレノイド７０ａ、元電磁弁用リレー７１のソレノイド７１ａ及び先電磁弁用リレー７２のソレノイド７２ａへの所定の電流の供給を中止して、それらを通電状態から非通電状態へ切り替える。
【００２２】
元電磁弁アンサー部６５及び先電磁弁アンサー部６６は、リレーの開閉状態をマイコン６１の入力レベルに変換する入力ポートから構成され、それぞれフォトカプラ７７，７８へ接続されている。フォトカプラ７７，７８は、図３で後述するように、それぞれ元電磁弁用リレー７１及び先電磁弁用リレー７２に対応付けられているものである。元電磁弁用リレー７１は元電磁弁３０を開閉し、先電磁弁用リレー７２は先電磁弁３１を開閉する。
【００２３】
マイコン６１は、元電磁弁アンサー部６５及び先電磁弁アンサー部６６の電圧レベルとしての“１”（高電圧レベル）又は“０”（低電圧レベル）を、元電磁弁３０及び先電磁弁３１の作動状態が正常であるか異常であるかについての元電磁弁用リレー７１及び先電磁弁用リレー７２からのアンサーとして検出する。
【００２４】
元電磁弁用リレー７１に対応付けられているフォトカプラ７７は、元電磁弁用リレー７１が通電状態にあるとき、すなわち元電磁弁３０が開弁状態にあるとき、その受光トランジスタ（図示せず）が導通状態になり、また、元電磁弁用リレー７１が非通電状態にあるとき、すなわち元電磁弁３０が閉弁状態にあるとき、その受光トランジスタ（図示せず）が遮断状態になる。同様に、先電磁弁用リレー７２に対応付けられているフォトカプラ７８は、先電磁弁用リレー７２が通電状態にあるとき、すなわち先電磁弁３１が開弁状態にあるとき、その受光トランジスタ（図示せず）が導通状態になり、また、先電磁弁用リレー７２が非通電状態にあるとき、すなわちそれぞれ先電磁弁３１が閉弁状態にあるとき、その受光トランジスタ（図示せず）が遮断状態になる。フォトカプラ７７，７８の受光トランジスタ（図示せず）の導通状態及び遮断状態は、それぞれ“１”，“０”のアンサーに対応する。
【００２５】
図３において、商用交流電源８０以外の素子はすべて温風暖房機１０に装備されているものである。図３は、温風暖房機１０の電源コード（図示せず）の先端の電源プラグ（図示せず）が１００Ｖの商用交流電源８０の電源コンセントへ接続されているときの状態での接続関係を示している。温風暖房機１０は、通常、電源プラグを電源コンセントへ付けっ放しの状態で、使用される。
【００２６】
メイントランス８１の一次側及びブリッジ型全波整流器８３の入力側は、メイントランス・電磁弁用リレー７０のスイッチ部７０ｂを介して商用交流電源８０へ接続されており、スイッチ部７０ｂが導通状態（オン）にあるときのみ、商用交流電源８０の電圧を印加される。これに対し、サブトランス８２の一次側は、電源コンセントへの温風暖房機１０の電源プラグの差込み中は、常時、商用交流電源８０へ接続され、商用交流電源８０の電圧を印加されて、二次側に出力電力を生成している。メイントランス８１及びサブトランス８２は、二次側の定格電圧は同一になっているが、定格出力電力は、メイントランス８１が、最大負荷時の温風暖房機１０の消費電力以上に設定されているのに対し、サブトランス８２は、バーナ１１におけるガス燃焼を停止している温風暖房機１０の休止（スリープ）期間の省電力を達成する小さい値（例：１Ｗ）に設定されている。
【００２７】
なお、温風暖房機１０の作動期間は、バーナ１１におけるガス燃焼を実施している期間だけでなく、使用者からの運転停止指示に伴い、バーナ１１におけるガス燃焼を終了した後、ハウジング２０内のこもり熱を燃焼ファン１２の所定時間の延長運転により送風口１６から排出している期間も含まれる。温風暖房機１０の休止期間とは、こもり熱排出終了に伴う燃焼ファン１２の運転の自動停止以降、使用者が操作パネル１８の運転ボタン４８又は設定ボタン４９に対して次の操作を行うまでの指示を待つ期間となっている。
【００２８】
温風暖房機１０の作動期間では、メイントランス・電磁弁用リレー７０のスイッチ部７０ｂは、ソレノイド７０ａへの通電より導通状態になっており、メイントランス８１、サブトランス８２及びブリッジ型全波整流器８３は、入力側に商用交流電源８０の電圧を印加され、出力側に電力を生成している。これに対し、温風暖房機１０の休止期間では、メイントランス・電磁弁用リレー７０のスイッチ部７０ｂは、ソレノイド７０ａへの非通電より遮断状態（オフ）になっており、サブトランス８２のみ入力側に商用交流電源８０の電圧を印加され、出力側に電力を生成している。
【００２９】
マイコン６１は、温風暖房機１０の休止期間において、サブトランス８２の出力電力のみより作動し、使用者が操作パネル１８の運転ボタン４８又は設定ボタン４９を操作したことを検出すると、メイントランス・電磁弁用リレー７０のスイッチ部７０ｂを導通状態へ切り替えて、メイントランス８１及びブリッジ型全波整流器８３の作動を再開させ、これにより、温風暖房機１０は休止期間から作動期間に切り替わる。
【００３０】
この温風暖房機１０は、休止期間では、サブトランス８２の余りの出力電力を使って、表示パネル５１の時刻表示を行っている。スピーカ５０及び表示パネル５１は、作動期間だけでなく、休止期間においてもマイコン６１により作動を制御される。
【００３１】
元電磁弁用リレー７１のスイッチ部７１ｂは、ブリッジ型全波整流器８３の出力側と元電磁弁３０との間に介在して、元電磁弁３０の通電を制御する。先電磁弁用リレー７２のスイッチ部７２ｂは、ブリッジ型全波整流器８３の出力側と先電磁弁３１との間に介在して、先電磁弁３１の通電を制御する。ブリッジ型全波整流器８３は元電磁弁３０及び先電磁弁３１の通電電流を生成する。元電磁弁３０及び先電磁弁３１は、通電中は開弁し、非通電中は閉弁する。
【００３２】
フォトカプラ７７，７８は、それぞれ元電磁弁３０及び先電磁弁３１に対して並列に接続され、元電磁弁３０及び先電磁弁３１の通電中は元電磁弁アンサー部６５及び先電磁弁アンサー部６６へ“１”を出力し、非通電中は元電磁弁アンサー部６５及び先電磁弁アンサー部６６へ“０”を出力する。
【００３３】
図４の第１異常処理について説明する。第１異常処理及び後述の第２異常処理（図５）は、使用者が運転ボタン４８を押下して温風暖房機１０のガス燃焼運転が開始され、温風暖房機１０の正常状態が確認された後、ＳＴＥＰ９１から開始される。
【００３４】
なお、温風暖房機１０は本発明のガス燃焼装置に相当し、元電磁弁３０及び先電磁弁３１は本発明の負荷又は開閉弁に相当し、スピーカ５０及び表示パネル５１は本発明の異常報知手段に相当し、元電磁弁用リレー７１及び先電磁弁用リレー７２は本発明の負荷駆動手段又は駆動回路に相当し、メイントランス８１は本発明の大電力源に相当し、サブトランス８２は本発明の小電力源に相当する。本発明の異常状態検出部は、マイコン６１で実行するプログラムの機能として実現される。
【００３５】
本発明において大電力源及び小電力源について最大出力電力を定義しているが、メイントランス８１及びサブトランス８２では、それらの最大出力電力とは故障防止のため、メイントランス８１及びサブトランス８２の定格出力電力とする。
【００３６】
ＳＴＥＰ９１では、元電磁弁アンサー及び先電磁弁アンサーが共に異常を示しているか否かを調べる。元電磁弁アンサー及び先電磁弁アンサーはそれぞれ元電磁弁アンサー部６５及び先電磁弁アンサー部６６の電圧レベルから検出される。そして、元電磁弁アンサー及び先電磁弁アンサーが共に異常を示していれば、ＳＴＥＰ９２へ進み、示していなければ、ＳＴＥＰ９１を再実行する。
【００３７】
なお、ＳＴＥＰ９１では、元電磁弁アンサー及び先電磁弁アンサーが共に異常を示しているときに代えて、元電磁弁アンサー及び先電磁弁アンサーの少なくとも一方が異常を示しているときとし、少なくとも一方が異常を示しているときにＳＴＥＰ９２へ進み、示していないとき、ＳＴＥＰ９１を再実行するようにすることもできる。
【００３８】
元電磁弁アンサー又は先電磁弁アンサーが異常を示している時とは、例えば、（ａ）マイコン６１が元電磁弁駆動部６３又は先電磁弁駆動部６４に元電磁弁３０又は先電磁弁３１の開弁指示を出しているにもかかわらず、マイコン６１が元電磁弁アンサー部６５又は先電磁弁アンサー部６６から“０”のアンサーを受けている時、すなわち元電磁弁３０又は先電磁弁３１が閉弁となっている時、及び（ｂ）マイコン６１が元電磁弁駆動部６３又は先電磁弁駆動部６４に元電磁弁３０又は先電磁弁３１の閉弁指示を出しているにもかかわらず、マイコン６１が元電磁弁アンサー部６５又は先電磁弁アンサー部６６から“１”のアンサーを受けている時、すなわち元電磁弁３０又は先電磁弁３１が閉弁となっている時である。
【００３９】
ＳＴＥＰ９２では、マイコン６１は、元電磁弁駆動部６３及び先電磁弁駆動部６４へＯＦＦ信号を出力する。
【００４０】
ＳＴＥＰ９３では、ＳＴＥＰ９２の実行後、開閉弁閉止時間が経過するのを待ち、経過しだい、ＳＴＥＰ９４へ進む。ＳＴＥＰ９３における開閉弁閉止時間とは、マイコン６１がＳＴＥＰ９２で元電磁弁駆動部６３及び先電磁弁駆動部６４へＯＦＦ信号を出力してから、元電磁弁３０及び先電磁弁３１が実際に閉止するまでに要する時間である。
【００４１】
マイコン６１がＳＴＥＰ９２で元電磁弁駆動部６３及び先電磁弁駆動部６４へＯＦＦ信号を出力しても、元電磁弁３０及び先電磁弁３１は直ちには閉止しない。マイコン６１がＳＴＥＰ９２で元電磁弁駆動部６３及び先電磁弁駆動部６４へＯＦＦ信号を出力すると、元電磁弁駆動部６３及び先電磁弁駆動部６４は、それぞれ元電磁弁用リレー７１のソレノイド７１ａ及び先電磁弁用リレー７２のソレノイド７２ａへの電流供給を停止し、次に、元電磁弁用リレー７１及び先電磁弁用リレー７２は、それらのソレノイド７１ａ，７２ａへの通電停止に伴い、メカ部のスイッチ部７１ｂ，７２ｂを変位させて、遮断状態に切り替え、これに伴い、元電磁弁３０及び先電磁弁３１は、それらのソレノイドへの駆動電流を断たれて、メカ部の弁体を変位させて、元電磁弁３０及び先電磁弁３１が最終的に閉止状態に至る。これに要する時間は例えば２００ｍｓｅｃ〜３００ｍｓであり、ＳＴＥＰ９３における開閉弁閉止時間はおおよそこの値を目安に設定されている。
【００４２】
ＳＴＥＰ９３における開閉弁閉止時間の経過に伴い、元電磁弁３０及び先電磁弁３１は閉弁し、ガス供給路２６は閉止され、バーナ１１は、ガス供給路２６からのガスの供給を断たれ、バーナ１１におけるガスの燃焼は中止される。
【００４３】
なお、元電磁弁アンサー及び先電磁弁アンサーの異常を検出したのに伴い、元電磁弁３０及び先電磁弁３１は閉弁されるが、元電磁弁３０及び先電磁弁３１を閉弁するために、元電磁弁駆動部６３や先電磁弁駆動部６４等の幾つかの素子を作動させる必要があり、それら素子の作動電力は、メイントランス８１やブリッジ型全波整流器８３の出力電力が使用されるので、サブトランス８２はその作動電力の負担を免れる。また、元電磁弁アンサー及び先電磁弁アンサーの異常検出の際は、元電磁弁３０及び先電磁弁３１と共に比例弁３２についても、メイントランス８１やブリッジ型全波整流器８３の出力電力により、閉弁させてから、ＳＴＥＰ９４を実行させるようにしてもよい。
【００４４】
ＳＴＥＰ９４では、マイコン６１は、メイントランス・電磁弁駆動部６２へＯＦＦ信号を出力する。これに伴い、メイントランス・電磁弁駆動部６２はメイントランス・電磁弁用リレー７０のソレノイド７０ａへの電流供給を中止して、メイントランス・電磁弁用リレー７０のスイッチ部７０ｂは遮断状態になる。この結果、メイントランス８１の作動は停止して、以降、温風暖房機１０の作動電力はサブトランス８２のみに賄われることになる。また、メイントランス・電磁弁用リレー７０のスイッチ部７０ｂの遮断状態への切替わりに伴い、ブリッジ型全波整流器８３の出力電圧も０となる。
【００４５】
ＳＴＥＰ９５では、マイコン６１はスピーカ５０に音声エラーを報知させる。音声エラーの報知の具体例としては、スピーカ５０から「ピーピーピー」の電子ブザー音を所定時間、出力した後、スピーカ５０から「緊急停止装置が働きました。」の発声を出力させる。なお、スピーカ５０を装備せず、代わりにブザーを装備する温風暖房機では、又は、スピーカ５０と共にブザーを装備する温風暖房機では、該ブザーから「ピー」を所定回数、出力することもできる。例えば、「ピー」の３００ｍｓとその後続の無音の２００ｍｓとを１サイクルとして、計２０サイクル、繰り返すようにする。スピーカ５０又はブザーからの音量が調整可能な温風暖房機１０では、該音量は、異常事態の重要性及び緊急性に鑑み、使用者が聞き逃さないよう、サブトランス８２の定格出力電力の範囲内で可能な最大音量とされる。ＳＴＥＰ９６では、音声エラーの報知を停止する。
【００４６】
ＳＴＥＰ９７では、表示パネル５１によりエラーを報知する。具体的には、元電磁弁３０及び先電磁弁３１の両方の異常を示すエラーコード（例えば「７１」）を表示パネル５１において点滅状態で表示する。点滅の具体的態様として、０．５秒の表示とその後続の０．５秒の表示停止とを１サイクルとして所定サイクル数、繰り返す。表示パネル５１の表示面積が十分に大きいときには、エラーコードに代えて、具体的な異常内容（この場合は元電磁弁３０及び先電磁弁３１が共に異常状態になっていること）をテキストや画像で報知するようにしてもよい。さらに、サブトランス８２の定格出力電力の範囲内で表示パネル５１と共に作動可能な報知ランプが装備されている温風暖房機１０では、該報知ランプを点灯してもよい。
【００４７】
ＳＴＥＰ９８では、エラーが解除されたか否かを判断し、エラーが解除されていれば、ＳＴＥＰ９９へ進み、解除されていなければ、ＳＴＥＰ９７へ戻って、表示パネル５１によるエラー報知を継続する。エラーの解除は、温風暖房機１０からのエラー報知に気付いた使用者が、温風暖房機１０の所へ来て、操作パネル１８の運転ボタン４８を押下することにより、行われる。この押下は、エラー報知の停止指示と共に、温風暖房機１０の再運転指示も含まれる。
【００４８】
ＳＴＥＰ９８における使用者による運転ボタン４８の押下に対して、温風暖房機１０の再運転指示も含めた理由は、今回の異常報知が誤作動であることがあり、これに対処するためである。今回の異常報知が誤作動である場合には、温風暖房機１０の再運転では、温風暖房機１０が燃焼停止したり、異常報知が行われたりすることなく、燃焼運転が支障なく継続することになるので、これにより、誤報知だったと分かる。これに対し、今回の異常報知が誤作動でない場合には、温風暖房機１０の再運転で、再び、温風暖房機１０が燃焼停止し、異常報知が行われることになる。
【００４９】
ＳＴＥＰ９８における使用者による運転ボタン４８の押下によるエラー報知の停止指示と温風暖房機１０の再運転指示とに対し、ＳＴＥＰ９９では、表示パネル５１によるエラー報知を停止し、ＳＴＥＰ１００では、マイコン６１からメイントランス・電磁弁駆動部６２、元電磁弁駆動部６３及び先電磁弁駆動部６４へ導通信号を出力する。
【００５０】
これに伴い、メイントランス・電磁弁駆動部６２、元電磁弁駆動部６３及び先電磁弁駆動部６４は、それぞれメイントランス・電磁弁用リレー７０のソレノイド７０ａ、元電磁弁用リレー７１のソレノイド７１ａ及び先電磁弁用リレー７２のソレノイド７２ａを通電して、メイントランス・電磁弁用リレー７０のスイッチ部７０ｂ、元電磁弁用リレー７１のスイッチ部７１ｂ及び先電磁弁用リレー７２のスイッチ部７２ｂを導通状態にする。この結果、メイントランス８１及びブリッジ型全波整流器８３は作動を再開するとともに、元電磁弁３０及び先電磁弁３１は開弁して、ガス供給路２６は開かれる。
【００５１】
マイコン６１は、ＳＴＥＰ９９の処理に並行して、点火電極２７を作動させる。これにより、バーナ１１におけるガス燃焼が再開される。ＳＴＥＰ１００の実行後、ＳＴＥＰ９１へ戻る。
【００５２】
第１異常処理では、ＳＴＥＰ９５におけるスピーカ５０からの音声エラーの報知をＳＴＥＰ９６において停止させてから、ＳＴＥＰ９７における表示パネル５１によるエラー報知を実施するので、すなわち、スピーカ５０からの音声エラーの報知と表示パネル５１によるエラー報知とが同時に実施されることなく、１つずつ実施されるので、エラー報知期間の各時点の作動電力はサブトランス８２の定格出力電力の範囲内に収めることができるとともに、スピーカ５０からの音声エラーの報知と表示パネル５１によるエラー報知との両方を支障なく実施することができる。
【００５３】
また、両方でエラー報知を行って、使用者は聴覚でも視覚でもエラー報知を認識することができるようになっているので、周囲の騒音の大きいときでも、使用者が視覚でエラー報知を認識することができ、また、使用者が、温風暖房機１０を直接、見ることができない所にいるときには、聴覚でエラーを認識することができる。
【００５４】
さらに、第１異常処理では、先に、スピーカ５０からの音声エラーの報知を実施して、温風暖房機１０から目を離している使用者に異常発生を気付かせ、次に、異常発生に気付いた使用者に対し、顔を温風暖房機１０の方へ向けたり、温風暖房機１０の所まで来させて、使用者が表示パネル５１におけるエラーコード等の表示を見させることになるので、報知順を逆にしたときよりも、使用者が異常状態に気付くまでの時間を短縮し、かつ具体的なエラー内容を見逃しを防止することができる。
【００５５】
図５の第２異常処理について説明する。第２異常処理において、図４の第１異常処理のＳＴＥＰと同一内容となっているＳＴＥＰについては、第１異常処理の該ＳＴＥＰと同一のＳＴＥＰ番号を付して、説明は省略し、第１異常処理との相違点についてのみ説明する。
【００５６】
第２異常処理では、第１異常処理のＳＴＥＰ９８に代えて、ＳＴＥＰ１１１が実施される。また、第１異常処理のＳＴＥＰ９９は、ＳＴＥＰ１１１の実行の前に実行される。
【００５７】
ＳＴＥＰ１１１における判断は、第１異常処理のＳＴＥＰ９８の判断と同一であるが、判断結果に基づく進み先がＳＴＥＰ９８とは相違している。すなわち、ＳＴＥＰ１１１では、エラーが解除されたか否かを判断し、エラーが解除されていれば、ＳＴＥＰ１１２へ進み、解除されていなければ、ＳＴＥＰ９５へ戻る。この結果、ＳＴＥＰ９５におけるスピーカ５０からの音声エラーの報知とＳＴＥＰ９７における表示パネル５１によるエラー報知とは、使用者が運転ボタン４８を押下するまで、所定時間間隔で交互に繰り返される。ＳＴＥＰ１１２の処理は前述の図４のＳＴＥＰ１００の処理内容と同一である。
【００５８】
図５の第２異常処理では、スピーカ５０からの音声エラーの報知とＳＴＥＰ９７における表示パネル５１によるエラー報知とが交互に繰り返されることにより、図４の第１異常処理の効果（ただし、音声報知と視覚報知とを前及び後の順番にする効果は除く）に加えて、表示パネル５１によるエラー報知の見逃しを回避しつつ、音声エラーの報知期間を実質的に延長して、聞き逃しを防止することができる。
【００５９】
本発明を温風暖房機１０について説明したが、本発明は温風暖房機１０以外に、ガスコンロ等、他のガス燃焼装置にも適用可能である。
【００６０】
温風暖房機１０における異常報知は、元電磁弁３０及び／又は先電磁弁３１の異常時に対するものとなっているが、本発明の異常報知は、ガス供給路を開閉する開閉弁以外の負荷の異常時に対する異常報知にも適用可能である。
【００６１】
温風暖房機１０における異常報知は、スピーカ５０からのブザー音と表示パネル５１におけるエラーコードの点滅とになっているが、本発明の異常報知は、振動（バイブレーション）、ＬＥＤ（発光ダイオード）及び音声（ＳＴＥＰ９５で説明した音声エラー以外で例えば人の声で異常を説明する音声報知等）を追加したり、代替したりすることができる。
【００６２】
本発明における異常報知は、ガス燃焼装置が装備する全部の異常報知手段からの異常報知とすることなく、全部の異常報知手段から複数の異常報知手段を選択して、該選択した異常報知手段のみからの異常報知にすることもできる。異常報知手段の選択は、例えば、異常の生じた負荷に応じて、又は同一の負荷に対する異常の種類に応じて、行うことができる。なお、異常報知を行う異常報知手段を選択した場合にも、異常報知期間の各時点で作動する異常報知手段は１つのみに制限し、小電力源の電力のみで異常報知を行えるようにする。
【００６３】
図４及び図５のフローチャートでは、異常状態が検出された要素としての元電磁弁３０及び／又は先電磁弁３１と、異常検出に伴い作動停止した負荷としての元電磁弁３０及び／又は先電磁弁３１とが同一の要素になっているが、異常状態が検出された要素と、異常検出に伴い作動停止した負荷とは同一としなくてもよい。
【符号の説明】
【００６４】
１０：温風暖房機（ガス燃焼装置）、１１：バーナ、２６：ガス供給路、３０：元電磁弁（負荷又は開閉弁）、３１：先電磁弁（負荷又は開閉弁）、５０：スピーカ（異常報知手段）、５１：表示パネル（異常報知手段）、６１：マイコン（異常状態検出部又は異常報知制御部）、７１：元電磁弁用リレー（負荷駆動手段又は駆動回路）、７２：先電磁弁用リレー（負荷駆動手段又は駆動回路）、８１：メイントランス（大電力源）、８２：サブトランス（小電力源）。
【図１】
0005517968.tif 000002
【図２】
0005517968.tif 000003
【図３】
0005517968.tif 000004
【図４】
0005517968.tif 000005
【図５】
0005517968.tif 000006